(57)【要約】      （修正有）【課題】表示品質を落とすことなく、フレームメモリの容量の削減を図る。【解決手段】文字データのフォントコードおよび透過率データαを保存する表示メモリ１１と、文字のフォントデータを保存するフォントメモリ１３と、フォントコードに該当するフォントデータをフォントメモリ１３から読み出し、色情報を有する画像データに変換するフォントデコード回路１２と、フォントデコード回路１２から出力される画像データ１Ａの色情報に透過率データαを重畳する透過率重畳回路１４と、透過率重畳回路１４からの出力データ１Ｂを保存するフレームメモリ１５と、フレームメモリ１５から透過率データαを取り出す透過率取出回路１６と、透過率取出回路１６により取り出された透過率データαで文字データを重畳させ、表示メモリ１１から読み出した映像データの前面に配置して表示部にオン・スクリーン表示する表示重畳回路１７とを備える。【選択図】図１
2010107872.tif 000002
【特許請求の範囲】
【請求項１】
映像メモリ（１８）に保存される映像データを出画する表示部（１９）の画面上に、指定された透過率で文字データを重畳させてオン・スクリーン表示するものであって、
前記文字データのフォントコードおよび文字単位の透過率データをそれぞれ保存するための表示メモリ（１１）と、前記文字のフォントデータを保存するためのフォントメモリ（１３）と、前記表示メモリから読み出されるフォントコードに該当するフォントデータを前記フォントメモリから読み出し、色情報（ＲＧＢ、ＹＵＶ）を有する画像データに変換するためのフォントデコード回路（１２）と、前記フォントデコード回路から出力される画像データの前記色情報に前記表示メモリから読み出した透過率データを重畳するための透過率重畳回路（１４）と、前記透過率重畳回路からの出力データを１行又は１画面単位で保存するためのフレームメモリ（１５）と、前記フレームメモリの保存データから透過率データを取り出すための透過率取出回路（１６）と、前記透過率取出回路により取り出された透過率データで前記文字データを重畳させ、前記映像メモリから読み出した映像データの前面に配置して前記表示部にオン・スクリーン表示するための表示重畳回路（１７）とを備えることを特徴とするオン・スクリーン・ディスプレイ装置。
【請求項２】
前記透過率重畳回路は、前記画像データが有する前記色情報の最下位ビットを使用して前記透過率データを３ビットの当該データで表し、前記色情報のそれぞれの色（ＲＧＢ、ＹＵＶ）に前記透過率データを重畳することを特徴とする請求項１記載のオン・スクリーン・ディスプレイ装置。
【請求項３】
前記フォントデコード回路は、前記透過率重畳回路にて重畳させる前記色情報および前記透過率データのそれぞれのデータサイズを可変することを特徴とする請求項１又は請求項２記載のオン・スクリーン・ディスプレイ装置。
【請求項４】
前記透過率データは、１ビットのデータで構成されていることを特徴とする請求項１乃至請求項３のうち何れか１項記載のオン・スクリーン・ディスプレイ装置。
【発明の詳細な説明】
【技術分野】
【０００１】
本発明は、オン・スクリーン・ディスプレイ（on screen display）装置に係り、特に、映像表示装置の画面上に文字情報等を重畳表示することができるオン・スクリーン・ディスプレイ装置に関する。
【背景技術】
【０００２】
従来から、この種の画像処理技法として、オン・スクリーン・ディスプレイフォントのドットデータを画像データに変換し、当該画像データに透過率データを追加してフレームメモリに保存し、重畳回路において１文字単位で透過処理する方法が知られている（例えば、特許文献１参照。）。
【０００３】
しかしながら、この種の画像処理技法においては、実際に使われる透過率データは３ビット程度のため、フレームメモリに格納されている画像データをフレームメモリのデータバスのビット幅に合わせる必要がある。例えば、透過率データの３ビットにデータバスのビット幅を合わせるために５ビットを追加すると８ビット（１バイト）のフレームメモリが余分に必要になるという難点があった。このため、従来の画像処理技法においてはフレームメモリを透過率データ分だけ余分に準備しなければならないという難点があった。
【０００４】
【特許文献１】特開２００５−２０８１２６号公報
【発明の開示】
【発明が解決しようとする課題】
【０００５】
本発明は、上述の難点を解消するためになされたもので、映像データに重畳する前の画像データの色情報の中に透過率データを重ねて紛れ込ませることで、表示品質を落とすことなくフレームメモリの容量を削減することができるオン・スクリーン・ディスプレイ装置を提供することを目的としている。
【課題を解決するための手段】
【０００６】
本発明の第１の態様であるオン・スクリーン・ディスプレイ装置は、映像メモリに保存される映像データを出画する表示部の画面上に、指定された透過率で文字データを重畳させてオン・スクリーン表示するものであって、文字データのフォントコードおよび文字単位の透過率データをそれぞれ保存するための表示メモリと、文字のフォントデータを保存するためのフォントメモリと、表示メモリから読み出されるフォントコードに該当するフォントデータをフォントメモリから読み出し、色情報を有する画像データに変換するためのフォントデコード回路と、フォントデコード回路から出力される画像データの色情報に表示メモリから読み出した透過率データを重畳するための透過率重畳回路と、透過率重畳回路からの出力データを１行又は１画面単位で保存するためのフレームメモリと、フレームメモリの保存データから透過率データを取り出すための透過率取出回路と、透過率取出回路により取り出された透過率データで文字データを重畳させ、映像メモリから読み出した映像データの前面に配置して表示部にオン・スクリーン表示するための表示重畳回路とを備えるものである。
【０００７】
第１の態様であるオン・スクリーン・ディスプレイ装置によれば、映像データに重畳する前の画像データの色情報の中に透過率データを重ねて紛れ込ませることで、表示品質を落とすことなくフレームメモリの容量を削減することができる。
【０００８】
本発明の第２の態様は、第１の態様であるオン・スクリーン・ディスプレイ装置において、透過率重畳回路は、画像データが有する色情報の最下位ビットを使用して透過率データを３ビットの当該データで表し、色情報のそれぞれの色に透過率データを重畳するものである。
【０００９】
第２の態様であるオン・スクリーン・ディスプレイ装置によれば、第１の態様のオン・スクリーン・ディスプレイ装置の作用・効果に加え、使用されない色情報の最下位ビット（０）に透過率データを重ねて紛れ込ませることで、データサイズを増やさずに１文字毎の透過率データをフレームメモリまで伝達することができる。
【００１０】
本発明の第３の態様は、第１の態様または第２の態様であるオン・スクリーン・ディスプレイ装置において、フォントデコード回路は、透過率重畳回路にて重畳させる色情報および透過率データのそれぞれのデータサイズを可変するものである。
【００１１】
第３の態様であるオン・スクリーン・ディスプレイ装置によれば、第１の態様または第２の態様のオン・スクリーン・ディスプレイ装置の作用・効果に加え、透過率データが３ビット以上のデータ、例えば６ビットのデータに変えてシステムを構築することができる。
【００１２】
本発明の第４の態様は、第１の態様乃至第３の態様の何れかの態様であるオン・スクリーン・ディスプレイ装置において、透過率データは、１ビットのデータで構成されているものである。
【００１３】
第４の態様であるオン・スクリーン・ディスプレイ装置によれば、第１の態様乃至第３の態様の何れかの態様のオン・スクリーン・ディスプレイ装置の作用・効果に加え、透過率データが１ビットのデータでも対応することができる。
【発明の効果】
【００１４】
本発明のオン・スクリーン・ディスプレイ装置によれば、映像データに重畳する前の画像データの色情報の中に透過率データを重ねて紛れ込ませることで、表示品質を落とすことなくフレームメモリの容量を削減することができる。
【発明を実施するための最良の形態】
【００１５】
以下、本発明のオン・スクリーン・ディスプレイ装置を適用した最良の実施の形態例について、図面を参照して説明する。
【００１６】
図１は、本発明の実施例によるオン・スクリーン・ディスプレイ装置の構成を示すブロック図である。
【００１７】
本発明のオン・スクリーン・ディスプレイ装置は、文字データのフォントコードおよび文字単位の透過率データをそれぞれ保存するための表示メモリ１１と、文字のフォントデータを保存するためのフォントメモリ１３と、表示メモリ１１から読み出されるフォントコードに該当するフォントデータをフォントメモリ１３から読み出し、赤（Ｒｅｄ）、緑（Ｇｒｅｅｎ）および青（Ｂｌｕｅ）等の色情報を有する画像データに変換するためのフォントデコード回路１２と、フォントデコード回路１２から出力される画像データの色情報に表示メモリ１１から読み出した透過率データを重畳するための透過率重畳回路１４と、透過率重畳回路からの出力データを１行又は１画面単位で保存するためのフレームメモリ１５と、フレームメモリ１５の保存データから透過率データを取り出すための透過率取出回路１６と、透過率取出回路により取り出された透過率データで文字データを重畳させ、映像メモリ１８から読み出した映像データの前面に配置して後述する表示部１９にオン・スクリーン表示するための表示重畳回路１７と、映像データを保存する映像メモリ１８と、映像データを出画させるためのテレビやインターホンなどの液晶モニター等から成る表示部１９としての映像表示装置とを備えている。
【００１８】
ここで、表示メモリ１１はフォントデコード回路１２および透過率重畳回路１４に接続され、フォントデコード回路１２にはフォントメモリ１３および透過率重畳回路１４が接続され、透過率重畳回路１４にはフレームメモリ１５が接続されている。また、表示重畳回路１７は透過率取出回路１６、映像メモリ１８および表示部１９に接続され、透過率取出回路１６にはフレームメモリ１５が接続されている。
【００１９】
次に、このように構成された本発明のオン・スクリーン・ディスプレイ装置の動作について説明する。
【００２０】
先ず、表示メモリ１１には画面に表示する文字データのフォントコード（文字コード）および文字単位の透過率データαが保存され、フォントメモリ１３には文字のフォントデータ（ドットデータ）が保存されている。
【００２１】
しかして、オン・スクリーン表示するために、フォントデコード回路１２において、表示メモリ１１から1文字づつフォントコードが読み出され、そのフォントコードに対応するフォントデータがフォントメモリ１３から読み出される。なお、フォントコードはフォントデータの文字の位置を表している。
【００２２】
フォントデータは後述する映像データに重畳するためにフォントデコード回路１２において図２に示すように色情報を有する画像データ１Ａに変換される。当該画像データ１Ａは例えば８ビットのデータで構成されるＲ（赤）の色情報、８ビットのデータで構成されるＧ（緑）の色情報および赤８ビットのデータで構成されるＢ（青）の色情報で構成されている。このような構成の画像データ１Ａはフォントデコード回路１２から出力され透過率重畳回路１４へ送出される。
【００２３】
透過率重畳回路１４に送出された画像データ１Ａは、当該透過率重畳回路１４において、図２に示す画像データ１Ａの色情報に表示メモリ１１から読み出された透過率データαが重畳され、これにより、図３に示すような画像データ１Ｂが得られる。
【００２４】
当該画像データ１Ｂは、図２に示す画像データ１Ａが有する色情報ＲＧＢの最下位ビットにそれぞれ１ビットのデータで構成される透過率データαを重畳することで３ビットの透過率データαが重畳された構成とされている。
【００２５】
このような３ビットの透過率データαが重畳された構成の画像データ１Ｂは透過率重畳回路１４から出力され、フレームメモリ１５へ入力される。
【００２６】
フレームメモリ１５へ入力された画像データ１Ｂは、一旦、図４（ａ）に示すようにフレームメモリ１５に１行単位で保存される。
【００２７】
色情報の重ね合わせの方法は、通常、オン・スクリーン表示は表示色が８色などと多くの色数を必要としていない。そして、映像データに重畳するためにフォーマットを合わせる目的で、色情報に必要以上のビット数が使用されるが、最下位ビット等は０のままで全く使われないことになる。この使用されない色情報ＲＧＢに透過率データαを重ねて紛れ込ませることで、データサイズを増やさずに１文字毎の透過率データをフレームメモリ１５まで伝達することができる。
【００２８】
すなわち、図２に示す画像データ１Ａが有する色情報ＲＧＢの最下位ビットは常に０であり、この色情報ＲＧＢの最下位ビット（合計３ビット）を使用して、図３に示すように、透過率データαを３ビットの当該データで表し、色情報ＲＧＢのそれぞれの色に透過率データαを重畳する。このように透過率データαを上書きすることで、画像データは増加せずに透過率データαを組み込むことが可能になる。この場合、透過率は０〜７の８段階に対応可能である。
【００２９】
ここで、本発明におけるフレームメモリ１５について必要なサイズ（容量）を計算すると、１文字が１６×１６ピクセルで３００文字とすると、１ピクセル（３バイト）×ピクセル数（１６×１６）×文字数（３００）＝２２５キロバイトとなる。これに対して、従来のシステムでは、前記と同様に、１文字が１６×１６ピクセルで３００文字とすると、１ピクセル（４バイト）×ピクセル数（１６×１６）×文字数（３００）＝３００キロバイトとなる。従って、本発明におけるフレームメモリ１５のサイズのほうが、従来におけるフレームメモリのサイズよりも７５キロバイト少なくなるという効果を奏する。
【００３０】
次に、透過率取出回路１６において、フレームメモリ１５の保存データから透過率データαが取り出される。図５は、フレームメモリ１５の保存データから透過率データαが取り出された画像データ１Ｃを示している。
【００３１】
最後に、表示重畳回路１７において、透過率取出回路１６により取り出された透過率データαで文字データを重畳させ、映像メモリ１８から読み出した例えば図６に示すような映像データの前面に配置することで、例えば図７（ａ）に示すように、指定された透過率で文字データが重畳された映像データが得られる。
【００３２】
当該映像データは表示重畳回路１７を介して表示部１９へ送出され、これにより、図７（ａ）に示す映像が表示部１９の画面にオン・スクリーン表示される。
【００３３】
以上のように、本発明のオン・スクリーン・ディスプレイ装置によれば、映像データに重畳する前の画像データの色情報の中に透過率データを重ねて紛れ込ませることで、表示品質を落とすことなくフレームメモリの容量を削減することができる。
【産業上の利用可能性】
【００３４】
前述の実施例においては、図面に示した特定の実施の形態をもって本発明を説明しているが、本発明はこれらの実施の形態に限定されるものではなく、本発明の効果を奏する限り、次のように構成してもよい。
【００３５】
第１に、前述の実施例においては、フレームメモリ１５に透過率重畳回路１４からの画像データを１画面単位で保存しているが、図４（ｂ）に示すように、画像データを１画面単位で保存し、前述と同様にして、例えば図７（ａ）に示すような映像を表示部１９の画面にオン・スクリーン表示してもよい。
【００３６】
第２に、フォントデコード回路１２には、透過率重畳回路１４において重畳させる色情報ＲＧＢおよび透過率データαのそれぞれのデータサイズを可変する機能を搭載してもよい。この場合は、透過率データが３ビット以上のデータ、例えば６ビットのデータに変えてシステムを構築することができる。
【００３７】
第３に、前述の実施例においては、フォントデコード回路１２において、フォントデータをＲ、Ｇ、Ｂの色情報を有する画像データに変換しているが、輝度信号（Ｙ）、輝度信号と赤色成分の差（Ｕ）、輝度信号と青色成分の差（Ｖ）といった色情報（ＹＵＶ）を有する画像データに変換してもよい。
【００３８】
第４に、前述の実施例においては、透過率取出回路１６においてフレームメモリ１５の保存データから透過率データαを取り出しているが、最終映像に影響がほとんどない範囲であれば、フレームメモリ１５の保存データから透過率データαを取り出さなくてもよい。すなわち、文字データを重畳する際に、通常、透過率データαは画像データから消去されることになるが、透過率が高い場合にビットが１になるようにして、透過率が高くなるほどオン・スクリーン表示の色の微妙な違いの識別が困難になることを利用して、透過率データαを取り除かずにそのまま重畳する構成でもよい。この場合は、透過率取出回路１６を不要とすることができる。
【図面の簡単な説明】
【００３９】
【図１】本発明の一実施例におけるオン・スクリーン・ディスプレイ装置の構成を示すブロック図。
【図２】本発明の一実施例におけるオン・スクリーン・ディスプレイ装置のフォントデコード回路において変換された画像データを示す説明図。
【図３】本発明の一実施例におけるオン・スクリーン・ディスプレイ装置の重畳回路において透過率データが重畳された画像データを示す説明図。
【図４】本発明の一実施例におけるオン・スクリーン・ディスプレイ装置のフレームメモリに保存される画像データの説明図。
【図５】本発明の一実施例におけるオン・スクリーン・ディスプレイ装置のフレームメモリの保存データから透過率データが取り出された画像データの説明図。
【図６】本発明の一実施例におけるオン・スクリーン・ディスプレイ装置の映像メモリに保存される画像データの説明図。
【図７】本発明の一実施例におけるオン・スクリーン・ディスプレイ装置の表示部の画面上に表示される映像の説明図。
【符号の説明】
【００４０】
１１・・・表示メモリ
１２・・・フォントデコード回路
１３・・・フォントメモリ
１４・・・透過率重畳回路
１５・・・フレームメモリ
１６・・・透過率取出回路
１７・・・表示重畳回路
ＲＧＢ、ＹＵＶ・・・色情報
【図１】
2010107872.tif 000003
【図２】
2010107872.tif 000004
【図３】
2010107872.tif 000005
【図４】
2010107872.tif 000006
【図５】
2010107872.tif 000007
【図６】
2010107872.tif 000008
【図７】
2010107872.tif 000009